(57)【要約】【課題】簡単な構成で浴槽水に酸素を混入させると共に、使い勝手に応じた噴出形態を確保することを目的とする。【解決手段】ポンプ１８により循環する浴槽水を昇温する加熱手段１２を有した追焚き循環回路２０と、前記追焚き循環回路２０に連通し浴槽水の吸引吐出を行う追焚きアダプタ２２と、前記追焚き循環回路２０に気体を混入させる混入手段２６、２７とを有し、前記追い焚き循環回路２０に混入させた気体を前記追焚きアダプタ２２より噴出させる構成とし、前記追焚きアダプタ２２は、用途に応じて噴流の噴出方向を任意に切り替え可能な構成としたもので、給湯機に備えた追い焚き回路を利用して気体を混入させることで構成の簡素化を図り、追い焚きアダプタの噴出方向を自在に変更できる構成とすることで、使い勝手の向上を図ったものである。【選択図】図１
2005127591.tif 000002
【特許請求の範囲】
【請求項１】
ポンプにより循環する浴槽水を昇温する加熱手段を有した追焚き循環回路と、前記追焚き循環回路に連通し浴槽水の吸引吐出を行う追焚きアダプタと、前記追焚き循環回路に気体を混入させる混入手段とを有し、前記追い焚き循環回路に混入させた気体を前記追焚きアダプタより噴出させる構成とし、前記追焚きアダプタは、用途に応じて噴流の噴出方向を任意に切り替え可能な構成とした追焚き機能付き給湯装置。
【請求項２】
追焚きアダプタは、噴出方向を正面よりもやや下を向いたものと、下方よりもやや上を向いたものの２方向に切り替え可能に構成した請求項１記載の追焚き機能付き給湯装置。
【請求項３】
追い焚きアダプタは、ノズルガイドと差込ノズルとを有し、前記差込ノズルをノズルガイドに差込む構成とし、前記差込ノズルを１８０度回転して差込むことにより噴出方向を切り替え可能に構成した請求項１記載の追焚き機能付き給湯装置。
【請求項４】
追い焚きアダプタは、ノズルガイドと差込みノズルとを有するアダプタ本体と、吸い込みフィルターを有する前面カバーを有し、前記前面カバーには縦長の開口を設け、かつ前記差込ノズルの先端部には開口閉鎖部を設け、前記前面カバーの開口より前記差込ノズルの先端部からの噴流が噴出するごとく構成し、かつ前記開口閉鎖部が噴流が噴出する部分以外の開口を閉鎖するごとく構成した請求項１記載の追焚き機能付き給湯装置。
【請求項５】
差込みノズルのノズルガイド側に突出部を設け、前記突出部の片方にはノズルガイド側に突出した突起部を設け、他方には開口を設け、かつノズルガイドには前記突出部に対応してねじ部を設け、かつ前記突出部の外径は前記ねじ部の内径よりも小さく構成した請求項３記載の追焚き機能付き給湯装置。
【請求項６】
差込みノズルの先端近傍に流れを阻害しない程度の突起を設けた構成とした請求項３記載の追焚き機能付き給湯装置。
【請求項７】
追焚き循環回路に混入する気体は酸素富化装置により生成される高濃度の酸素とし、前記酸素富化装置を追い焚き機能を有した給湯器内に一体的に収納した請求項１〜６のいずれか１項記載の追焚き機能付き給湯装置。
【発明の詳細な説明】
【技術分野】
【０００１】
本発明は追焚き循環回路を有する給湯器の追焚き配管を利用して、浴槽内の浴水中に酸素等の気体を供給する機能を有する給湯装置に関するものである。
【背景技術】
【０００２】
従来、この種の酸素供給装置は、ジェットバス等の浴槽水を循環させる管路に気体を供給する供給部を設け、この供給部に酸素富化空気を供給するための酸素富化装置を設けたものである（例えば、特許文献１参照）。
【０００３】
図９は、前記公報に記載された従来の浴槽内への酸素供給装置を示すものである。図において、１は浴槽、２は管路、３は供給部、４は吸入口、５は吐出口、７は酸素富化装置、８はポンプである。
【特許文献１】特開平４−２３４７号公報
【発明の開示】
【発明が解決しようとする課題】
【０００４】
しかしながら上記従来の構成では、ジェット配管の管路の途中に酸素供給部を設け、この供給部に酸素富化空気を供給するものであるため、酸素を浴槽に供給するためには、ジェットバスのシステムを有することが必要であり、簡単に家庭に設置できるものではなかった。また、ジェットバスの流量が大きいため、電気代や騒音等の関連で長時間使用することが難しく、十分な酸素を供給することもできないという課題を有していた。
【０００５】
本発明は上記従来の課題を解決するもので、殆どの家庭で設置している追い焚き機能付き給湯機の追い焚き循環回路を用いて、酸素富化装置からの高濃度の酸素等の気体を混入させ、浴槽内に設置した追い焚き循環水を吐出する追焚きアダプタより噴出させる構成とすることで、特別な経路を付加することなく、安価に取り付け可能な、かつ循環流量も少なく、長時間の酸素等の気体の供給が可能な装置を提供するとともに、循環回路に気体を混入して噴出した場合の気泡の混入した噴流の噴出方向を変えることができるようにすることで、足元に噴流を出したり、頭の近くまで噴流を飛ばしたりするというように、使い勝手に応じた噴出形態を確保することを目的とする。
【課題を解決するための手段】
【０００６】
上記従来の課題を解決するため本発明の追焚き機能付き給湯装置は、加熱手段を有した追焚き循環回路と、前記浴槽に設けた追焚きアダプタと、気体を追焚き循環回路に混入させる混入手段とを有し、前記追い焚き循環回路に混入させた気体を前記追焚きアダプタより噴出させる構成とし、前記追焚きアダプタは噴流の噴出方向を切り替え可能に構成したものである。
【０００７】
これによって、常に使用する追焚き装置に気体混入手段等を追加するだけで、高濃度の酸素等の気体を簡単に得ることができるようになるとともに、循環回路に気体を混入して噴出した場合、足元に噴流を出したり、頭の近くまで噴流を飛ばしたりすることも可能になるものである。
【発明の効果】
【０００８】
本発明の追焚き機能付き給湯装置は、通常の追焚き循環回路に酸素富化装置等の気体混入手段で生成される高濃度の酸素等の気体を混入するようにしているため、入浴中の人が高濃度の酸素を吸いながら湯につかることで、温浴効果を促進したり、居眠りを防止したりすることが可能となる。また、酸素以外の気体や空気であっても、気泡が破裂するときの超音波の発生等により洗浄効果等が期待されるものである。そして、この構成であれば、追焚き循環回路の一部を形成する給湯機のケーシングの中に酸素富化装置等の気体混入手段を収納することが可能となり、特別な経路を付加したり、取付スペースを別途確保する必要もなくなるので、安価に取り付けができ、一般の家庭への設置も可能である。また、循環回路に気体を混入して噴出した場合、足元に噴流を出したり、頭の近くまで噴流を飛ばしたりすることも可能になるもので、使い勝手に応じた噴出形態を確保することができる。
【発明を実施するための最良の形態】
【０００９】
第１の発明は、ポンプにより循環する浴槽水を昇温する加熱手段を有した追焚き循環回路と、前記追焚き循環回路に連通し浴槽水の吸引吐出を行う追焚きアダプタと、前記追焚き循環回路に気体を混入させる混入手段とを有し、前記追い焚き循環回路に混入させた気体を前記追焚きアダプタより噴出させる構成とし、前記追焚きアダプタは、用途に応じて噴流の噴出方向を任意に切り替え可能な構成したことを特徴とするもので、混入手段によって、酸素富化装置等の気体発生装置からの高濃度の酸素等の気体は追焚き配管の中の湯または水に混入され、この酸素が混入された湯または水が浴槽に取り付けた追焚きアダプタから噴出するときに、高濃度の酸素等の気体が気泡となって浴槽水の中を通過し、その後浴室内に充満するようになる。この結果、入浴中の人が高濃度の酸素を吸いながら湯につかることで、温浴効果を促進したり、居眠りを防止したりできる。また、浴槽水の中に酸素が溶け込むことにより雑菌の発生を押さえ、ぬめりや臭いを減少させる効果も期待できる。また、酸素以外の気体や空気であっても、気泡が破裂するときの超音波の発生等により洗浄効果等が期待されるものである。そして、この構成であれば、給湯機のケーシングの中に納まるので余分なスペースも不要であると共に、安価に作成ができるため、一般の家庭への設置も可能である。また、循環回路に気体を混入した場合に、追い焚きアダプタの噴出しノズルからの噴出方向を変えることにより、入浴の状態に応じて噴流を体に当てる場所を変えることが可能となる。
【００１０】
第２の発明は、第１の発明において、噴出方向を正面よりもやや下を向いたものと、下方よりもやや上を向いたものの２方向に切り替え可能に構成したもので、足元に気泡を出して足のマッサージに使用したり、噴流を頭の近くまで送って高濃度の酸素を直接吸い込んだりすることが可能になるものである。
【００１１】
第３の発明は、追い焚きアダプタを、ノズルガイドと差込ノズルとを有し、前記差込ノズルを前記ノズルガイドに差込む構成とし、前記差込ノズルを１８０度回転して差込むことにより噴出方向を切り替え可能に構成したもので、差込みノズルを１８０度回転させるだけで噴出方向を切り替え可能にしたもので、簡単な構成で噴出方向を変えられるものである。
【００１２】
第４の発明は、追い焚きアダプタを、ノズルガイドと差込みノズルとを有するアダプタ本体と、吸い込みフィルターを有する前面カバーを有し、前記前面カバーには縦長の開口を設け、かつ前記差込ノズルの先端部には開口閉鎖部を設け、前記前面カバーの開口より前記差込ノズルの先端部からの噴流が噴出するごとく構成し、かつ前記開口閉鎖部が噴流が噴出する部分以外の開口を閉鎖するごとく構成したもので、ごみ等をポンプに入れないようにするための吸い込みフィルターを取り付ける構成であり、ノズルの近傍より水や空気を吸い込んでフィルターの機能を損なったり、ポンプの動作を阻害したりすることが無いようにするためのものである。
【００１３】
第５の発明は、差込みノズルのノズルガイド側に突出部を設け、前記突出部の片方にはノズルガイド側に突出した突起部を設け、他方には開口を設け、かつノズルガイドには前記突出部に対応してねじ部を設け、かつ前記突出部の外径は前記ねじ部の内径よりも小さく構成したもので、噴出方向の切り替えを確実に行えるようにするためのものである。
【００１４】
第６の発明は、差込みノズルの先端近傍に流れを阻害しない程度の突起を設けたもので、指等をノズルの穴に突っ込んで怪我をしないようにするためのものである。
【００１５】
第７の発明は、追焚き循環回路に混入する気体は酸素富化装置により生成される高濃度の酸素とし、前記酸素富化装置を追い焚き機能を有した給湯器内に一体的に収納したことを特徴とするもので、高濃度の酸素を浴槽内に気泡状態で噴出することにより気泡風呂感覚を得ることができると共に、気泡がはじけることで浴室内の酸素濃度を適正な値に維持することができる。さらに給湯器に一体的に組み込むことで、浴槽との追焚き循環回路は従来通り２本の配管ですみ、複雑な配管構成を必要とせず、一般家庭への設置も可能となる。
【００１６】
以下、本発明の実施の形態について、図面を参照しながら説明する。なお本実施の形態によって本発明が限定されるものではない。
【００１７】
（実施の形態１）
図１は、本発明の第１の実施の形態における追焚き機能付き給湯装置の全体構成図を示すものである。
【００１８】
図において、給湯装置本体９の内部構成は、熱交換器１２を加熱するバーナ１０があり、このバーナ１０に燃焼用空気を送るバーナファン１１が設けられている。熱交換器１２の下流側には燃焼ガスの排気口１３が設けられ、バーナ１０で発生した燃焼ガスを本体外に排出する。
【００１９】
また、熱交換器１２には給湯入口１５から入った水を加熱し給湯出口１６を経由してカラン１７等から吐出する給湯回路１４が設けられており、さらに、前記熱交換器１２には浴槽２１の湯水を風呂ポンプ１８で循環させ熱交換器１２で加熱後、再度浴槽２１に戻す追い焚き循環回路２０が設けられている。
【００２０】
このような内部構成を有する給湯装置９の一画に、大気中から酸素を取り出し高濃度化した酸素を前記追い焚き循環回路２０の循環水に混入させる酸素富化装置２６を配設してある。
【００２１】
この酸素富化装置２６は、特殊な膜で構成しこの膜を空気が通過するときに酸素を取り出す酸素富化膜２３と、前記酸素富化膜２３に空気を通過させるとき、該空気を減圧して酸素富化膜２３の間に空気を通し、高酸素濃度の空気を得るための減圧手段である真空ポンプ２４と、前記酸素富化膜２３に新鮮空気を供給するための送風手段である送風ファン２５で構成している。
【００２２】
そして、前記酸素富化装置２０で生成した高濃度の酸素を追い焚き循環回路２０に供給する混入手段２７が追い焚き循環回路２０に取り付けられており、酸素富化装置２０で生成された高濃度の酸素は真空ポンプ２４の駆動に連動して追い焚き循環回路２０を流れる循環水中に混入される。この混入手段２７の構成としては、例えばエゼクタのような循環水に対する絞りを設けて酸素富化装置２６からの酸素を引っ張る構成を用いることで、流れに負圧を発生させて酸素富化空気を混入させれば多量の酸素を入れることができ、効果が大きい。ここで、加熱された後の循環水に酸素富化空気を混入する構成とした点に特徴があり、加熱される以前に混入すると、熱交換器１２を通過中に異常音が発生したり、熱交換器１２の腐食を促進したりする恐れがあるからである。
【００２３】
また、追い焚き循環回路２０に酸素を混入させる場合、上記した如く、給湯装置９内に設けた混入手段２７を介して混入させてもよいが、二点鎖線で示すように真空ポンプ２４から別配管で直接追焚きアダプタ２２に接続し、噴出する直前で水の中に酸素富化空気を混入してもよい。
【００２４】
さらに、浴槽２１には通常の追い焚き動作時に循環される浴槽水を吐出する追焚きアダプタ２２が設けられており、この追い焚きアダプター２２より循環水と共に吐出することで浴槽全体に高濃度の酸素を泡状に噴出することができ、泡風呂感覚を満喫することができるとともに浴室内の酸素濃度を最適な状態に維持することができる。
【００２５】
以上のように構成された追焚き機能付き給湯装置について、以下その動作・作用を説明する。
【００２６】
混入手段２７によって酸素富化装置２６からの高濃度の酸素は追焚き循環回路２０の中の湯または水に混入され、この酸素が混入された湯または水が浴槽２１に取り付けた追焚きアダプタ２２から噴出するときに、高濃度の酸素が気泡２８となって浴槽水の中を通過し、その後浴室内に充満するようになる。この結果、入浴中の人が高濃度の酸素を吸いながら湯につかることで、温浴効果を促進したり、居眠りを防止したりできる。また、浴槽水の中に酸素が溶け込むことにより雑菌の発生を押さえ、ぬめりや臭いを減少させる効果も期待できる。そして、この構成であれば、給湯機のケーシング９の中に納まるので余分なスペースも不用であると共に、安価に作成も可能であるため、一般の家庭への設置も可能である。
【００２７】
また、図２は酸素富化装置２６の部分断面図で、酸素富化膜２３の一例を示す。フレーム２９の表面に薄い膜３０を貼りつけ、新鮮空気３１を、加圧または減圧手段により薄い膜３０の間を通過させることによって酸素濃度を高めた空気３２として取り出す構成としたもので、これにより簡単な構成で安定した性能を得られるものである。３３は酸素を取りだした後の、残った空気であり、これを大気中に放出する。
【００２８】
図３は、本発明の第１の実施の形態における追焚きアダプタ２２の構成を示す。３４は流れの入り口、３５は出口である。３６はノズルガイド、３７は差込ノズルである。３８は流れの噴出口である。差込ノズル３７はノズルガイド３６の挿入部３９に差込む構成とし、差込ノズル３７を１８０度回転して差込むことにより二点鎖線のように噴出方向を切り替える構成になっている。このように、簡単な構成で噴出の方向を変えられるようになっている。
【００２９】
図４は、本発明の第２の実施の形態における追焚きアダプタ２２の構成を示す。これは、吸い込みフィルター４０を有する前面カバー４１を有し、前面カバー４１には縦長の開口４２を設け、かつ前記差込ノズル３７の先端部４３には開口閉鎖部４４を設け、前面カバー４１の開口４２より差込ノズル３７の先端部４３からの噴流が噴出するごとく構成し、かつ開口閉鎖部４４が噴流が噴出する部分以外の開口４５を閉鎖するごとく構成したもので、ごみ等をポンプに入れないようにするための吸い込みフィルター４０を取り付ける構成であり、ノズルの近傍より水や空気を吸い込んでフィルターの機能を損なったり、ポンプの動作を阻害したりすることが無いようにするためのものである。また、ノズルガイド３６と差込みノズル３７との接合部分は図５に示すように、差込みノズル３７のノズルガイド側に突出部４６を設け、突出部４６の片方にはノズルガイド側に突出した突起部４７を設け、他方には開口４８を設け、かつノズルガイド３６には突出部４６に対応してねじ部４９を設け、かつ突出部４６の外径はねじ部４９の内径よりも小さく構成したもので、ビス５０等で固定した場合に、突出部４７が位置決めの役目をして、噴出方向の切り替えが確実に行えるものである。
【００３０】
また、図６と図７は、本発明の第３の実施の形態における追焚きアダプタ２２の構成を示す。これは、差込みノズル３７の先端近傍に流れを阻害しない程度の突起５１を設けることで、指等を噴出口３８の穴に突っ込んで怪我をしないようにしたものである。
【産業上の利用可能性】
【００３１】
以上のように本発明の追焚き機能付き給湯装置は、常に使用する追焚き装置に酸素富化装置他を追加するだけで、より高濃度の酸素等の気体を簡単に得ることができるようになるとともに、循環回路に気体を混入して噴出した場合、足元に噴流を出したり、頭の近くまで噴流を飛ばしたりすることも可能になるものであるため、家庭用だけではなく、業務用の温泉等にも応用できるものであり、さらにガスや石油給湯機に限らず電気温水器等の貯湯式給湯機を用いた追い焚き装置にも応用できるものである。
【図面の簡単な説明】
【００３２】
【図１】本発明の実施の形態１における追焚き機能付き給湯装置の全体構成図
【図２】同給湯装置における酸素富化装置の部分断面図
【図３】同給湯装置における追焚きアダプタの断面図
【図４】本発明の実施の形態２における追焚きアダプタの断面図
【図５】同追焚きアダプタの差込みノズル近傍の平面図
【図６】本発明の実施の形態３における追焚きアダプタの断面図
【図７】同追焚きアダプタの差込みノズル近傍の側面図
【図８】従来の酸素供給装置の全体構成図
【符号の説明】
【００３３】
１２  熱交換器（加熱手段）
１８  ポンプ
２０  追焚き循環回路
２１  浴槽
２２  追焚きアダプタ
２６  酸素富化装置（混入手段）
２７  混入手段
【図１】
2005127591.tif 000003
【図２】
2005127591.tif 000004
【図３】
2005127591.tif 000005
【図４】
2005127591.tif 000006
【図５】
2005127591.tif 000007
【図６】
2005127591.tif 000008
【図７】
2005127591.tif 000009
【図８】
2005127591.tif 000010